(57)【要約】【課題】既設下枠に対する改修下枠の装着を容易とし、新設下枠の装着後には、新設下枠の室外側下面からの火炎等の侵入を抑制させる。【解決手段】躯体開口部に残存する既設下枠に装着される新設下枠と、既設下枠に固定される取付補助材を備え、新設下枠は、室外側外周部位に室内側に延びる係合片を有し、取付補助材は、既設下枠の室外側において既設下枠の長手方向に亘って配置される長尺部材により形成されており、既設下枠に固定される固定部と、固定部よりも下方で室外側に向かって延び新設下枠の係合片の上方に位置する対向片を備える。【選択図】  図５
2020002663.tif 000002
【特許請求の範囲】
【請求項１】
躯体開口部に残存する既設下枠に装着される新設下枠と、既設下枠に固定される取付補助材を備え、
新設下枠は、室外側外周部位に室内側に延びる係合片を有し、
取付補助材は、既設下枠の室外側において既設下枠の長手方向に亘って配置される長尺部材により形成されており、既設下枠に固定される固定部と、固定部よりも下方で室外側に向かって延び新設下枠の係合片の上方に位置する対向片を備える改修建具。
【発明の詳細な説明】
【技術分野】
【０００１】
本発明は、建物開口部に残存する既設枠の内周に配置される改修建具に関する。
【背景技術】
【０００２】
建物開口部に残存する既設枠の内周に配置される改修建具が公知となっている。
【先行技術文献】
【特許文献】
【０００３】
【特許文献１】特開２００７−２３５６５号公報
【発明の概要】
【発明が解決しようとする課題】
【０００４】
上記特許文献１に記載された改修建具は、既設下枠の室内外略全域に亘って配置されるアタッチメントによって装着されているので、経年変形した既設下枠に対してアタッチメントを正確に固定することが難しく、また、既設下枠毎に製造する必要があった。
【０００５】
本発明は、上記の事情を鑑み、既設下枠に対する固定が容易で、改修下枠の位置決めを容易に行うことができ、改修下枠の装着後には、改修用下枠の室外側下面からの火炎等の侵入を防止できる改修建具を提供することを目的とする。
【課題を解決するための手段】
【０００６】
本発明の一実施形態は、躯体開口部に残存する既設下枠に装着される新設下枠と、既設下枠に固定される取付補助材を備え、新設下枠は、室外側外周部位に室内側に延びる係合片を有し、取付補助材は、既設下枠の室外側において既設下枠の長手方向に亘って配置される長尺部材により形成されており、既設下枠に固定される固定部と、固定部よりも下方で室外側に向かって延び新設下枠の係合片の上方に位置する対向片を備える改修建具である。
【発明の効果】
【０００７】
本発明の防火建具の構成により、改修建具の施工を容易にし、防火性能を向上させることができる。
【図面の簡単な説明】
【０００８】
【図１】本発明の一実施形態に係る改修建具の竪断面図である。
【図２】本発明の一実施形態に係る改修建具の横断面図である。
【図３】本発明の他の実施形態に係る改修建具の竪断面図である。
【図４】本発明の他の実施形態に係る改修建具の横断面図である。
【図５】（ａ）は、本発明の実施形態に係る改修建具の下枠部分の竪断面図であり、（ｂ）（ｃ）は、その一部拡大図である。
【図６】本発明の実施形態に係る改修建具の上枠と竪枠との連結部分のシールを説明するための斜視図である。
【図７】本発明の実施形態に係る改修建具の下枠と竪枠との連結部分のシールを説明するための斜視図である。
【発明を実施するための形態】
【０００９】
−第１の実施形態―
本発明の第１の実施形態の改修建具として、図１及び図２に示すように、既設の引違い建具の既設枠１の内周に、新設枠２を装着してなる改修建具を用いて説明する。
【００１０】
（全体の構成）
本実施形態の改修建具は、図１、図２に示すように、既設上枠１１，既設下枠１２，既設竪枠１３，１３からなる既設枠１を除去せずに、既設枠１の内周に新設上枠２１，新設下枠２２，新設竪枠２３，２３からなる新設枠２が配置されている。
なお、本実施形態の改修建具は、左右の竪枠部分についてその主たる構成がほとんど同様であるので、竪枠部分についての説明は右竪枠を用いて行う。
【００１１】
既設枠１を構成する既設上枠１１，既設下枠１２，既設竪枠１３のそれぞれには上取付補助材３１、下取付補助材３２及び竪取付補助材３３が固定されており、新設枠２は各取付補助材を介して既設枠１に装着されている。
なお、既設枠１は、その全ての部分が除去されずに残存させた状態で取付補助材及び新設枠を装着しても良いが、例えば図１に示す既設下枠１２の室外側下レールが切除されているように、必要に応じて新設枠２を配置するに際して邪魔となる部位が除去されていてもよい。
【００１２】
（上枠部分の構成）
既設上枠１１に固定される上取付補助材３１は、見込寸法が既設上枠１１の見込寸法とほぼ同程度の見込寸法を有し新設上枠２１の長手方向に延びる長尺部材からなる。上取付補助材３１は、新設上枠２１を装着する際の基準となる見込壁部３１ａと、見込壁部３１ａの室内外両端付近より外周方向に延設される室内側固定部３１ｂ及び室外側固定部３１ｃを有している。
【００１３】
そして、見込壁部３１ａが水平となるように見込壁部３１ａの外周側面を既設上枠１１の室内側壁部１１ａ、室外側壁部１１ｂの下端に当接させた状態で、室内側固定部３１ｂ及び室外側固定部３１ｃが既設上枠１１の室内側壁部１１ａの室外側と室外側壁部１１ｂの室内側との間に挿入され、室内側固定部３１ｂが室内側壁部１１ａにビス等の固定手段ｂにより固定され、室外側固定部３１ｃが室外側壁部１１ｂにビス等の固定手段ｂにより固定されている。
【００１４】
新設上枠２１は、既設上枠１１よりも見込寸法が大きく形成されており、見込み方向室内側上面に加熱により膨張する加熱膨張材ｆが配置されるとともに、見込み方向の略中央付近において、スペーサー６１を介してビス等の固定手段ｂにより上取付補助材３１の見込壁部３１ａに固定されている。新設上枠２１の室内側下面には、後述する内部カバー７１を取り付けるための挿入部２１ａを有している。
【００１５】
新設上枠２１は、室外側外周に気密材ｓを有しており、上取付補助材３１を介して既設上枠１１に固定された新設上枠２１の気密材ｓが既設上枠１１の室外側内周に当接して、既設上枠１１と新設上枠２１との室外側における気密を行っている。
【００１６】
また、新設上枠２１の室内側から既設上枠１１の室内側を覆うように、防水シート８１が設けられるとともに、防水シート８１を覆うようにアルミニウム合金等の金属製の内部カバー７１が配置されている。
【００１７】
金属製の内部カバー７１は、防水シート８１を覆うカバー部７１ａと、新設上枠２１の挿入部２１ａに挿入される脚部７１ｂと、カバー部７１ａの上端に連続する固定部７１ｃとを有している。
そして、内部カバー７１は、脚部７１ｂが新設上枠２１の挿入部２１ａに上下動自在に挿入された状態で、固定部７１ｃがビス等の固定手段ｂにより躯体開口部に固定されて配置されている。
【００１８】
（下枠部分の構成）
既設下枠１２に固定される下取付補助材３２は、室内側取付補助材３２１と室外側取付補助材３２２の二つの部材からなる。
室内側取付補助材３２１は、アルミニウム合金等の金属材料からなり、新設下枠２２の室内側の荷重を支持する支持部３２１ａと、支持部３２１ａの室内側に連続する取付壁３２１ｂと、を有し、取付壁３２１ｂが既設下枠１２の室内側の壁面にビス等の固定手段ｂにより固定されている。また、室内側取付補助材３２１の支持部３２１ａは、既設下枠１２の室内側下レールに固定された荷重支持部材３２３にスペーサー６２を介して支持されている。
【００１９】
室外側取付補助材３２２は、新設下枠２２の室外側の荷重を支持する支持部３２２ａ及び新設下枠２２の室外側端部の浮き上がりを防止する浮き上がり防止部３２２ｂを有し、支持部３２２ａがスペーサー６３を介して既設下枠１２に載置された状態で既設下枠１２の前壁部にビス等の固定手段ｂにより固定されている。
【００２０】
新設下枠２２は、既設下枠１２よりも見込寸法が大きく形成されており、図５（ａ）に示すように、室内側見込壁を構成する室内側底壁部２２ａと、室外側見込壁を構成する室外側底壁部２２ｂと、室内側底壁部２２ａの室内側から立ち上がる室内側壁部２２ｃと、室内側壁部２２ｃの上端よりもやや下方位置の室内側面から室内側に延設される室内側上壁部２２ｄと、室内側底壁部２２ａと室外側底壁部２２ｂとを連続する立壁部２２ｅと、室外側底壁部２２ｂの室外側端から下方に向かって延設される前壁部２２ｆと、前壁部２２ｆの下端から室内側に屈曲して延設される浮き上がり防止片２２ｇと、室内側底壁部２２ａの室外側上面に立設される室内下レール２２ｈと、室外側底壁部２２ｂの上面に立設される室外下レール２２ｉと、室内側底壁部２２ａの室外側に延設される気密材保持片２２ｊを有している。
【００２１】
また、新設下枠２２は、室内側壁部２２ｃの室内側上壁部２２ｄよりも上方部位に内部カバー７２の室外側を係合する被係合部２２ｋが形成されており、室内側上壁部２２ｄの上面には、後述する内部カバー７２の天板部７２ａを支持するリブが長手方向に沿って形成されている。
【００２２】
そして、新設下枠２２は、室内側底壁部２２ａの下面の内外２か所に形成された脚部を室内側取付補助材３２１の支持部３２１ａに載置した状態で、ビス等の固定手段ｂにより室内側取付補助材３２１に固定され、既設下枠１２に装着されている。
新設下枠２２を既設下枠１２に装着した状態で浮き上がり防止片２２ｇが室外側取付補助材３２２の浮き上がり防止部３２２ｂの下方に位置している。
【００２３】
新設下枠２２の室内側壁部２２ｃの室内側面及び室外側面、及び、室内側底壁部２２ａと室外側底壁部２２ｂとを連続する立壁部２２ｅの室外側面には、それぞれホルダーによって加熱により膨張する加熱膨張材ｆが配置されている。
【００２４】
新設下枠２２の室内側から既設下枠１２の室内側を覆うように防水シート８２が設けられており、防水シート８２を覆うようにアルミニウム合金等の金属製の内部カバー７２が配置されている。
【００２５】
新設下枠２２の室内側を覆う内部カバー７２は、室内側上壁部２２ｄ及び躯体開口部の上面を覆う天板部７２ａと、天板部７２ａの室内側に連続する室内壁部７２ｂを有する長尺部材からなり、天板部７２ａの室外側端部に下方に突出する係合凸部７２ｃが形成されている。
また、天板部７２ａの室内側下面には、長手方向に沿って複数のリブ状の脚部７２ｄ，７２ｄが形成されている。
【００２６】
そして、内部カバー７２は、室外側に形成された係合凸部７２ｃを新設下枠２２の室内側壁部２２ｃに形成された被係合部２２ｋに係合すると共に、室内側に形成された複数のリブ状の脚部７２ｄ，７２ｄを躯体開口部に載置した状態で、ビス等の固定手段ｂにより、既設下枠１２に固定されている。
【００２７】
（竪枠部分の構成）
既設竪枠１３に固定される竪取付補助材３３は、見込寸法が既設竪枠１３の見込寸法とほぼ同程度の見込寸法を有し新設竪枠２３の長手方向に延びる長尺部材からなる。竪取付補助材３３は、新設竪枠２３を装着する際の基準となる見込壁部３３ａと、見込壁部３３ａの室内外両端付近より外周方向に延設される室内側固定部３３ｂ及び室外側固定部３３ｃを有している。
【００２８】
そして、竪取付補助材３３は、室内側固定部３３ｂ及び室外側固定部３３ｃが既設竪枠１３の室内側壁部１３ａの室外側と室外側壁部１３ｂの室内側との間に挿入されることで、見込壁部３３ａが内周に向く垂直面となるように配置され、室内側固定部３３ｂが室内側壁部１３ａにビス等の固定手段ｂにより固定され、室外側固定部３３ｃが室外側壁部１３ｂにビス等の固定手段ｂにより固定されている。
【００２９】
新設竪枠２３は、既設竪枠１３よりも見込寸法が大きく形成されており、見込み方向室内側外周面に加熱により膨張する加熱膨張材ｆが配置されるとともに、見込み方向の略中央付近において、スペーサー６４を介してビス等の固定手段ｂにより竪取付補助材３３の見込壁部３３ａに固定されている。新設竪枠２３の室内側内周面には、後述する内部カバー７３を取り付けるための挿入部２３ａを有している。
【００３０】
新設竪枠２３は、室外側外周に気密材ｓを有しており、竪取付補助材３３を介して既設竪枠１３に固定された新設竪枠２３の気密材ｓが既設竪枠１３の室外側内周に当接して、既設竪枠１３と新設竪枠２３との室外側における気密を行っている。
また、新設竪枠２３の室内側及び既設竪枠１３の室内側を覆うように防水シート８３が設けられており、防水シート８３を覆うようにアルミニウム合金等の金属製の内部カバー７３が配置されている。
【００３１】
金属製の内部カバー７３は、防水シート８３を覆うカバー部７３ａと、新設竪枠２３の挿入部２３ａに内周方向から挿入される脚部７３ｂと、カバー部７３ａの外周側端に連続する固定部７３ｃとを有している。そして、内部カバー７３は、脚部７３ｂを新設竪枠２３の挿入部２３ａに左右移動自在に挿入した状態で、固定部７３ｃがビス等の固定手段ｂにより躯体開口部に固定されて配置されている。
【００３２】
ここで、新設枠２および既設枠１の室内側を覆うように配置される防水シートについて、図６，７を参考にして説明する。
図６に示すように、既設上枠１１の室内側と新設上枠２１の室内側との間には、隙間ｄ１（スペーサー６１が配置されている。）が存在するが、該隙間ｄ１を覆うように、防水シート８１が設けられている。
【００３３】
また、既設竪枠１３の室内側と新設竪枠２３の室内側との間には、隙間ｄ３（スペーサー６３が配置されている。）が存在するが、該隙間ｄ３を覆うように、防水シート８３が設けられている。
そして、枠の上コーナー部において、上枠に配置された防水シート８１と、竪枠に配置された防水シート８３を連続させるように、防水シート８４及び防水シート８５が設けられている。
【００３４】
一方、図７に示すように、既設下枠１２の室内側と新設下枠２２の室内側との間には、隙間ｄ２が存在するが、該隙間ｄ２を覆うように、防水シート８２が設けられている。
【００３５】
また、既設竪枠１３の室内側と新設竪枠２３の室内側との間には、隙間ｄ３（スペーサー６３が配置されている。）が存在するが、該隙間ｄ３を覆うように、防水シート８３が設けられている。
そして、枠の下コーナー部において、下枠に配置された防水シート８２と、竪枠に配置された防水シート８３を連続させるように、防水シート８６が設けられている。
【００３６】
−第２の実施形態―
次に、本発明の第２の実施形態の改修建具として、内部カバーが樹脂材料により形成されている改修建具を、図３，４を参考に、説明する。以下の説明においては、主に、第１の実施形態と異なる点について説明し、同様の構成については説明を省略する。
【００３７】
（上枠部分の構成）
本実施形態の改修建具においては、図３に示すように、新設上枠２１の室内側から既設上枠１１の室内側を覆うように、防水シート８１が設けられるとともに、防水シート８１の室内側には、断面略Ｌ字状の金属製の上補強部材９１が配置されている。
そして、上取付補助材３１の室内側固定部３１ｂは、室内側壁部１１ａ及び上補強部材９１に対してビス等の固定手段ｂにより固定されている。
【００３８】
樹脂製の内部カバー７１は、防水シート８１及び上補強部材９１を覆うカバー部７１ａと、新設上枠２１の挿入部２１ａに挿入される脚部７１ｂと、カバー部７１ａの上端に連続する固定部７１ｃとを有しており、脚部７１ｂを新設上枠２１の挿入部２１ａに上下動自在に挿入した状態で、固定部７１ｃがビス等の固定手段ｂにより躯体開口部に固定されて配置されている。
【００３９】
（下枠部分の構成）
本実施形態の改修建具においては、図３に示すように、新設下枠２２の室内側上壁部２２ｄの上面から躯体開口部にかけて、防水シート８２が配置されていると共に、室内側上壁部２２ｄの上面から躯体開口部にかけて、金属製の下補強部材９２が配置されている。
下補強部材９２は、新設下枠２２の室内側上壁部２２ｄと躯体開口部の上端との間の間隙を閉塞するように配置され、躯体開口部に対してネジ等の固定手段ｂにより固定されている。
樹脂製の内部カバー７２は、防水シート８２及び下補強部材９２を覆う天板部７２ａを有しており、新設下枠２２と躯体開口部との間の間隙を覆うように下補強部材９２を介して係合固定されている。
【００４０】
（竪枠部分の構成）
本実施形態の改修建具においては、図４（ａ）に示すように、新設竪枠２３の室内側から既設竪枠１３の室内側を覆うように、防水シート８３が設けられており、防水シート８３の室内側には、断面略Ｌ字状の金属製の曲げ部材からなる竪補強部材９３が配置されている。
そして、竪取付補助材３３の室内側固定部３３ｂは、既設竪枠１３の室内側壁部１３ａ及び竪補強部材９３に対してビス等の固定手段ｂにより固定されている。
【００４１】
樹脂製の内部カバー７３は、防水シート８３及び竪補強部材９３を覆うカバー部７３ａと、新設竪枠２３の挿入部２３ａに内周方向から挿入される脚部７３ｂと、カバー部７３ａの外周側端に連続する固定部７３ｃとを有しており、脚部７３ｂを新設竪枠２３の挿入部２３ａに左右移動自在に挿入した状態で、固定部７３ｃがビス等の固定手段ｂにより躯体開口部に固定されて配置されている。
【００４２】
なお、竪補強部材９３は、例えば図４（ｂ）に示すように、アルミ形材によって形成されてもよい。また、改修建具自体の耐火性及び強度が十分であれば省くこともできる。
【００４３】
（新設下枠の室外側支持のための実施形態）
以下、本発明の実施形態の改修建具における、新設下枠の室外側の支持構造、火災時の変形等による新設下枠２２の室外側の浮き上がりを防止するための構成、室外側の新設下枠と既設下枠との間からの火炎等の侵入を抑制するための構成について、さらに詳細に説明する。
【００４４】
新設下枠２２が既設下枠１２の内周に配置された状態では、室内側においては、室内側底壁部２２ａの下面の内外２か所に形成された脚部が室内側取付補助材３２１の支持部３２１ａに載置されてビス等の固定手段ｂにより室内側取付補助材３２１に固定されている。
そして、室外側においては、室外側底壁部２２ｂの下面が、既設下枠１２の室外側に固定される室外側取付補助材３２２の支持部３２２ａの上方に配置されており、新設下枠２２は室内側取付補助材３２１及び室外側取付補助材３２２を介して既設下枠１２に支持されている。
【００４５】
ここで、本実施形態の改修建具における室外側取付補助材３２２は、アルミ合金等の金属製の長尺部材からなり、図５（ｂ）に示すように、既設下枠１２の前壁部に固定される固定部３２２ｃと、固定部３２２ｃの上方に連続して室内方向して屈曲して形成される支持部３２２ａと、固定部３２２ｃの下方で室外側に延設される浮き上がり防止部（対向片）３２２ｂとを有している。
【００４６】
そして、室外側取付補助材３２２は、見付け方向の複数位置において、ビス等の固定手段ｂ１により既設下枠１２の前壁部に固定されており、必要に応じて支持部３２２ａの上面において新設下枠２２の下面を支持している。
【００４７】
この時、支持部３２２ａの下面と既設下枠１２の内周（上）面との間にスペーサー６３を配置して、室外側取付補助材３２２を下方より支持してもよく、これにより新設下枠２２を室外側取付補助材３２２の支持部３２２ａにより支持する際に、新設枠２の荷重を既設下枠１２に直接伝えることができ、新設建具の安定した支持を行うことができる。
また、室外側底壁部２２ｂの上面に立設される室外下レール２２ｉの下方位置近傍において、室外側取付補助材３２２の支持部３２２ａが新設下枠２２の室外側底壁部２２ｂを支持することで、室外下レール２２ｉ上に配置される外障子５の重量を安定して受けることができる。
【００４８】
また、新設下枠２２の前壁部２２ｆの外周部位から室内側に延設される浮き上がり防止片(係合片)２２ｇが、室外側取付補助材３２２の浮き上がり防止部（対向片）３２２ｂの下方位置に配置されて上下方向に対向しているので、新設下枠２２の室外側に下方から外力がかかっても、浮き上がり防止片２２ｇが室外側取付補助材３２２の浮き上がり防止部３２２ｂに下方から当接して、新設下枠２２の室外側の浮き上がりを抑制することができる。
【００４９】
さらに、新設下枠２２は、新設下枠２２を強固に既設下枠１２に固定する必要がある場合などには、図５（ｃ）に示すように、室外側取付補助材３２２の既設下枠１２への固定位置と見付け方向で異なる位置において、室外側底壁部２２ｂの上面から室外側取付補助材３２２の浮き上がり防止部３２２ｂに対するビス等の固定手段ｂ２によって固定してもよい。
【００５０】
以上のように、本実施形態の改修建具によれば、新設下枠２２の室外側を支持する室外側取付補助材３２２が、見込み方向に短い寸法の長尺部材により形成されているので、既設下枠１２の形状や経年変形の影響を受けにくく取付位置を簡単に調節することができ、新設下枠２２を正確に支持することができる。
【００５１】
また、室外側取付補助材３２２を既設下枠１２に固定するための固定部３２２ｃは、室外側取付補助材３２２の固定部３２２ｃの下端から室外側に延設された浮き上がり防止部３２２ｂにより隠されるので、室外側取付補助材３２２の固定部分を室外の影響から保護することができ、劣化を抑制することができるとともに、新設下枠２２と既設下枠１２との室外側の隙間を室外側取付補助材３２２によって塞ぐことによって、火災時に該隙間を介して火炎や煙等が侵入することを抑制し、延焼を防ぐことができる。
【００５２】
なお、以上の実施形態は，請求項に記載された発明を限定するものではなく，例示として取り扱われることは言うまでもない。
例えば、室外側取付補助材３２２の支持部３２２ａと既設下枠１２との間に配置されるスペーサー６３は、省略してもよい。また、新設下枠２２の室外側底壁部２２ｂの下面は、必ずしも支持部３２２ａに当接しなくてもよく、新設下枠２２が撓んだときに当接するものでもよい。
さらに、改修される既設枠及び新設建具は、引違い建具に限定されるものではなく、開き建具やすべり出し建具等、建具の種類は何ら限定されるものではない。
【符号の説明】
【００５３】
１２      ：既設下枠
２２      ：新設下枠
２２ａ    ：室内側底壁部
２２ｂ    ：室外側底壁部
２２ｅ    ：立壁部
２２ｆ    ：前壁部
２２ｇ    ：浮き上がり防止片（係合片）
３２２    ：室外側取付補助材
３２２ａ  ：支持部
３２２ｂ  ：浮き上がり防止部（対向片）
３２２ｃ  ：固定部
【図１】
2020002663.tif 000003
【図２】
2020002663.tif 000004
【図３】
2020002663.tif 000005
【図４】
2020002663.tif 000006
【図５】
2020002663.tif 000007
【図６】
2020002663.tif 000008
【図７】
2020002663.tif 000009